(57)【要約】【課題】電子機器が載置されたことを検知することができる載置動作の自由度を向上させ、ユーザの利便性の向上を図ることができる載置装置を提供すること。【解決手段】電子機器を載置する載置面と、この載置面から突出し当該載置面に載置される電子機器によって押圧付勢され可動する押圧可動機構と、この押圧可動機構の可動状態に応じて電子機器の載置を検知する検知手段と、を備えた載置装置であって、押圧可動機構は、載置面に対する所定範囲の角度方向から載置される電子機器によって押圧付勢される。【選択図】図２
2007311859.tif 000002
【特許請求の範囲】
【請求項１】
電子機器を載置する載置面と、この載置面から突出し当該載置面に載置される電子機器によって押圧付勢され可動する押圧可動機構と、この押圧可動機構の可動状態に応じて前記電子機器の載置を検知する検知手段と、を備えた載置装置であって、
前記押圧可動機構は、前記載置面に対する所定範囲の角度方向から載置される前記電子機器によって押圧付勢される、
ことを特徴とする載置装置。
【請求項２】
前記押圧可動機構は、前記電子機器の押圧付勢によって回転可動するよう軸支されている、ことを特徴とする請求項１記載の載置装置。
【請求項３】
前記押圧可動機構の回転軌跡の接線方向が、前記押圧可動機構を押圧付勢可能な前記電子機器の載置方向である前記所定範囲の角度方向内にある、ことを特徴とする請求項２記載の載置装置。
【請求項４】
前記所定範囲の角度方向は、前記押圧可動機構が突出されている前記載置面に対して、少なくとも０°から９０°の範囲を有する、ことを特徴とする請求項１，２又は３記載の載置装置。
【請求項５】
前記押圧可動機構の前記載置面からの突出部分は、丸みを帯びて形成されている、ことを特徴とする請求項１，２，３又は４記載の載置装置。
【請求項６】
前記押圧可動機構は、前記電子機器の背面に対向する前記載置面に突出されている、ことを特徴とする請求項１，２，３，４又は５記載の載置装置。
【請求項７】
前記検知手段にて前記電子機器の載置を検知したときに当該電子機器に対する充電を開始する充電手段を備えた前記電子機器の充電器である、ことを特徴とする請求項１，２，３，４，５又は６記載の載置装置。
【発明の詳細な説明】
【技術分野】
【０００１】
本発明は、載置装置にかかり、特に、電子機器の載置を検知する機能を有する載置装置に関する。
【背景技術】
【０００２】
携帯電話やＰＤＡ、さらには、コードレス電話機などの電子機器を載置する充電器などの載置装置には、電子機器が載置されたことを検出する検出機構が搭載されている。この検出機構は、例えば、充電を開始するためのスイッチとして使用されたり、接続されているパソコンに対するデータの同期処理を開始するためのスイッチとして使用される。
【０００３】
そして、上記のような検出機構が搭載されている卓上ホルダの一例が、下記特許文献１，２に開示されている。例えば、特許文献１における構成は、図３に示すように、卓上ホルダのカバー１０１上に携帯電話機１００が載置されると、カバー１０１から突出しているボタン１０２が押下され（矢印１１０参照）、これによって作動片１０３が下方に可動し（矢印１２０参照）、充電スイッチ１０４がオンとなる構成になっている。また、特許文献２における構成は、図４に示すように、載置面２０１に携帯電話機（図示せず）が上方から載置されることによって載置面上に突出しているレバー２０２が押下され（矢印２１０参照）、これによって給電端子部（図示せず）が給電端子孔２０３から突出し充電可能となる、という構成になっている。
【０００４】
【特許文献１】特開２００４−８８６８８号公報
【特許文献２】特開２００５−２４５０４８号公報
【発明の開示】
【発明が解決しようとする課題】
【０００５】
しかしながら、上記従来例における電子機器の検出機構では、電子機器が一方向から載置された場合にのみ押下されるため、ユーザによる載置動作に制約がある、という問題があった。例えば、上述した特許文献１，２では、いずれも電子機器を上方から降下させて載置しなければボタン（あるいはレバー）が押下されないため、電子機器の載置を検出することができず、載置方向の自由度が少なく、ユーザにとって利便性が低い、という問題があった。
【０００６】
このため、本発明は、上記従来例の有する不都合を改善し、特に、電子機器が載置されたことを検知することができる載置動作の自由度を向上させ、ユーザの利便性の向上を図ることができる載置装置を提供することをその目的とする。
【課題を解決するための手段】
【０００７】
そこで、本発明である載置装置は、電子機器を載置する載置面と、この載置面から突出し当該載置面に載置される電子機器によって押圧付勢され可動する押圧可動機構と、この押圧可動機構の可動状態に応じて電子機器の載置を検知する検知手段と、を備えた載置装置であって、押圧可動機構は、載置面に対する所定範囲の角度方向から載置される電子機器によって押圧付勢される、ことを特徴としている。
【０００８】
上記発明によると、載置面に対して所定範囲の角度方向から電子機器が載置されると、当該載置された電子機器によって、載置面から突出された押圧可動機構が押圧付勢されることによって可動し、検知手段によって電子機器の載置が検知される。従って、電子機器が所定範囲の方向から載置された場合にも検知することができ、載置動作の自由度が増し、ユーザの利便性の向上を図ることができる。
【０００９】
そして、押圧可動機構は、電子機器の押圧付勢によって回転可動するよう軸支されている、ことを特徴としている。このとき、押圧可動機構の回転軌跡の接線方向が、押圧可動機構を押圧付勢可能な電子機器の載置方向である所定範囲の角度方向内にある、ことを特徴としている。また、所定範囲の角度は、押圧可動機構が突出されている載置面に対して、少なくとも０°から９０°の範囲を有する、ことを特徴としている。さらに、押圧可動機構の載置面からの突出部分は、丸みを帯びて形成されている、ことを特徴としている。これにより、よりあらゆる方向からの電子機器の載置によって、押圧可動機構が押圧付勢され可動することとなり、電子機器の載置状態の検出の確実性が向上しうる。
【００１０】
また、押圧可動機構は、電子機器の背面に対向する載置面に突出されている、ことを特徴としている。これにより、電子機器が載置されたときに、広い面積を有する背面が押圧可動機構を押圧付勢するため、電子機器の載置を検出することの確実性のさらなる向上を図ることができる。
【００１１】
そして、上述した載置装置は、例えば、検知手段にて電子機器の載置を検知したときに当該電子機器に対する充電を開始する充電手段を備えた電子機器の充電器である。
【発明の効果】
【００１２】
本発明は、以上のように構成され機能するので、これによると、ユーザは一方向からだけでなく、所定範囲の角度方向から電子機器を載置装置に載置することによって電子機器の載置を検知させることができるため、載置方向の自由度が増し、ユーザの利便性の向上を図ることができる、という従来にない優れた効果を有する。
【発明を実施するための最良の形態】
【００１３】
本発明における載置装置は、載置面に対して所定範囲に角度方向から電子機器が載置された場合であっても検知することができることを特徴としている。以下、実施例では、電子機器が携帯電話であり、この充電器である卓上ホルダを載置装置の一例として説明する。但し、電子機器は携帯電話であることに限定されず、ＰＤＡなどの他の情報処理端末であってもよく、あるいは、コードレス電話機などの電子機器であってもよい。また、載置装置は充電機能を有する卓上ホルダであることに限定されず、ＰＤＡを載置してパソコンと接続するためのクレードルとしての機能を有するだけの装置であってもよい。さらに、以下では、携帯電話（電子機器）の載置を検知することによって充電を開始する場合を例示しているが、載置されたことの検知を他の処理のために用いてもよい。
【実施例１】
【００１４】
本発明の第１の実施例を、図１乃至図２を参照して説明する。図１は、本発明である卓上ホルダ（載置装置）の外観図であり、図２は、卓上ホルダの内部構造を示す断面図である。
【００１５】
［構成］
図１、図２に示すように、本実施例における卓上ホルダ１０は、携帯電話１を載置し、充電を行う一般的な卓上ホルダである。そして、この卓上ホルダ１０には、載置される携帯電話１の背面１Ａに対向して当接する所定の傾斜角を有する第１の載置面１１と、この第１の載置面１１とほぼ直角となり携帯電話１の端面１Ｂに当接する第２の載置面１２と、が形成されている。そして、第２の載置面１２には、携帯電話１の端面１Ｂに形成されている給電部（図示せず）と接触して給電を行う給電端子１２ａが突出して設けられている。なお、給電の仕組みについては一般的であるため、その構成等の説明は省略する。
【００１６】
また、第１の載置面１１には、筐体内部に通ずる貫通孔が形成されており、携帯電話１の載置を検知する検知ボタン１３の一端１３ａが突出している。この検知ボタン１３を含む携帯電話１の載置を検知する構成について、図２の断面図を参照して詳述する。
【００１７】
図２に示すように、検知ボタン１３（押圧可動機構）は、卓上ホルダ１０の内部に装備されており、ほぼ直角に曲折された棒状あるいは板状部材である。そして、上述したように、その一端１３ａは第１の載置面１１から突出されており、他端１３ｂは、卓上ホルダ１０内部で軸支されている。つまり、検知ボタン１３は、一端１３ａに対して外力が印加されると、他端１３ｂを支点として矢印Ｄに示すように回転可能に軸支されている。このとき、回転運動による円弧状の回転軌跡の接線方向は、後述するように検知ボタン１３が回転されるよう押圧付勢可能な方向の範囲内（図２に示す符号αの範囲内）にあり、例えば、第１の載置面１１に対して約４５°の角度となるよう設定されている。なお、一端１３ａに対する外力は、後述するように、第１の載置面１１に載置される携帯電話１によって押圧付勢されることによって印加される。
【００１８】
また、検知ボタン１３の一端１３ａの第１の載置面１１から突出している部分は、略半球状に丸みを帯びて形成されている。つまり、曲面形状に形成されている。これにより、後述するように、一端１３ａが所定範囲の角度方向（例えば、図２の符号αの範囲）から押圧された場合であっても、検知ボタン１３自体が回動されるよう押圧付勢されることが可能となる。なお、検知ボタン１３の一端１３ａは、後述するように、携帯電話１が載置される動作によって、当該携帯電話１が引っかかることなく、検知ボタン１３が第１の載置面１１から引っ込むよう回転可動可能な長さだけ突出して設けられている。
【００１９】
さらに、検知ボタン１３の一部には、回転可動したときに検知スイッチ１４を押下するスイッチ部１３ｃが形成されている。具体的には、検知スイッチ１４は検知ボタン１３の下方に装備されているため、当該検知ボタン１３の下面側に位置して形成されている。
【００２０】
次に、検知スイッチ１４について説明する。検知スイッチ１４（検知手段）は、上述したように検知ボタン１３の可動状態に応じて、つまり、検知ボタン１３が回転可動されることでスイッチ部１３ｃによる押下によりオン状態となるスイッチ機構である。これにより、携帯電話１の載置を検知する。なお、本実施例では、オン状態となったときに、図示しない給電装置（充電手段）が給電端子１２ａから携帯電話１への給電を開始するよう作動する。
【００２１】
［動作］
次に、図２を参照して、本実施例における卓上ホルダ１０に携帯電話１を載置するときの動作を説明する。
【００２２】
まず、第１の載置面１１に対してほぼ垂直となる矢印Ａ方向から携帯電話１が載置面１１，１２に載置された場合には、第１の載置面１１に携帯電話１の背面１Ａが当接する際に、当該携帯電話１にて矢印Ａ方向から検知ボタン１３の一端１３ａが押圧される。このとき、検知ボタン１３は、回転可能に軸支されており、また、その一端１３ａが丸みを帯びて形成されていることから、円滑に押圧される。すると、検知ボタン１３は他端１３ｂを支点に矢印Ｄに示すように回転可動する。これにより、検知スイッチ１４にて携帯電話１の載置が検知され、充電が開始される。
【００２３】
また、矢印Ｂ方向から携帯電話１が載置面１１，１２に載置された場合も同様である。つまり、第１の載置面１１に沿って（第１の載置面１１に対してほぼ水平方向から）、携帯電話１が端面１Ｂから挿入してきた場合に、当該携帯電話１の端面１Ｂあるいは背面１Ａによって検知ボタン１３の一端１３ａが押圧される。このとき、検知ボタン１３は、回転可能に軸支されており、また、その一端１３ａが丸みを帯びて形成されていることから、円滑に押圧される。すると、検知ボタン１３は他端１３ｂを支点に矢印Ｄに示すように回転可動する。これにより、検知スイッチ１４にて携帯電話１の載置が検知され、充電が開始される。
【００２４】
以上より、検知ボタン１３の一端１３ａは、上記方向Ａ及びＢの間の角度、つまり、図２の符号αの範囲内における角度方向（第１の載置面１１に対して０°から９０°）から、携帯電話１が挿入された場合に円滑に押圧付勢され、検知ボタン１３自体が回転可動される。従って、図２に示す検知ボタン１３の回転運動の接線方向である矢印Ｃを中心とした所定範囲の角度方向から、携帯電話１が載置されることで、かかる載置をより確実に検知することができる。このため、ユーザによる携帯電話１の載置動作の自由度が増し、利便性の向上を図ることができる。
【００２５】
なお、上記では、検知ボタン１３が回転可能な携帯電話１の載置方向は０°から９０°である場合を例示したが、さらに広い角度方向から回転可動するよう構成してもよい。
【００２６】
また、上記では、検知ボタン１３が回転可動するよう構成する場合を例示したが、載置される携帯電話１によって押圧され、載置面１１から直線的に引っ込むよう可動するよう構成してもよい。かかる場合には、載置面１１から突出している検知ボタン１３の一端１３ａを、図２に示すように、丸みを持たせて形成することで、所定範囲の角度方向からの携帯電話１の挿入に対して対応することができる。
【産業上の利用可能性】
【００２７】
本発明は、携帯電話やＰＤＡ、コードレス電話機などの電子機器を載置する充電器などの装置に利用することができ、産業上の利用可能性を有する。
【図面の簡単な説明】
【００２８】
【図１】本発明における卓上ホルダの外観図である。
【図２】本発明における卓上ホルダの内部構成を示す断面図である。
【図３】従来例における卓上ホルダの一例を示す部分断面図である。
【図４】従来例における卓上ホルダの一例を示す外観図である。
【符号の説明】
【００２９】
１  携帯電話
１０  卓上ホルダ
１１，１２  載置面
１３  検知ボタン
１４  検知スイッチ
【図１】
2007311859.tif 000003
【図２】
2007311859.tif 000004
【図３】
2007311859.tif 000005
【図４】
2007311859.tif 000006